(57)【要約】【課題】複雑なメカ的機構を使用せず、かつ繰り返しの使用によっても除電機能を劣化させずに保持する技術を提供する。【解決手段】本開示によるプロセッサは、一例として、内視鏡が接続され、内視鏡からの映像を処理するプロセッサであって、内視鏡が接続されるコネクタ部と、コネクタ部を外部に露出させるための開口部を有するフロントパネルと、コネクタ部近傍に設けられ、接地された金属製の避雷部材と、を備える。そして、当該避雷部材は、コネクタ部に挿入される内視鏡のコネクタ端子とは常に非接触となる位置に配置されている。【選択図】図５
2019208709.tif 000002
【特許請求の範囲】
【請求項１】
内視鏡が接続され、内視鏡からの映像を処理するプロセッサであって、
前記内視鏡が接続されるコネクタ部と、
前記コネクタ部を外部に露出させるための開口部を有するフロントパネルと、
前記コネクタ部の近傍に設けられ、接地された金属製の避雷部材と、を備え、
前記避雷部材は、前記コネクタ部に挿入される前記内視鏡のコネクタ端子とは常に非接触となる位置に配置されている、プロセッサ。
【請求項２】
請求項１において、
前記避雷部材は、前記フロントパネルの後方に配置され、前記内視鏡のコネクタ端子が挿通可能な開口を有する基体と、当該基体から前記フロントパネルの方向に突出し、先端が基端よりも細い突出部と、を含むプロセッサ。
【請求項３】
請求項２において、
前記基体の開口の形状は、前記フロントパネルの開口部とほぼ同一形状をなす、プロセッサ。
【請求項４】
請求項２または３において、
前記突出部は、複数の針状部によって構成される、プロセッサ。
【請求項５】
請求項４において、
前記複数の針状部の先端は、前記プロセッサを正面から見た場合に、前記フロントパネルの開口部の形状に沿って配置されている、プロセッサ。
【請求項６】
請求項４または５において、
前記コネクタ部は、内視鏡側コネクタ端子が挿入されるプロセッサ側コネクタ端子と、内視鏡のライトガイドスリーブが挿入されるライトガイドスリーブ挿入部とを有し、
前記複数の針状部は、それらの先端が前記ライトガイドスリーブ挿入部の周辺より前記プロセッサ側コネクタ端子の周辺に密に配置されるように、前記基体から突出する、プロセッサ。
【請求項７】
請求項１において、
前記避雷部材は、前記フロントパネルの後方に配置され、前記内視鏡のコネクタ端子が挿通可能な開口を有し、側面が前記フロントパネルの方向に延出する筒状部材で構成される、プロセッサ。
【請求項８】
請求項７において、
前記筒状部材の開口の形状は、前記フロントパネルの開口部とほぼ同一形状をなす、プロセッサ。
【請求項９】
請求項１において、
前記避雷部材は、前記フロントパネルを前記プロセッサの筐体に固定するための固定部材に設けられている、プロセッサ。
【請求項１０】
請求項１から９の何れか１項に記載のプロセッサと、
前記プロセッサと接続され、撮像素子で撮像した映像信号を前記プロセッサに送信する内視鏡と、
を備える内視鏡システム。
【発明の詳細な説明】
【技術分野】
【０００１】
本開示は、内視鏡プロセッサ、および内視鏡システムに関する。
【背景技術】
【０００２】
内視鏡システムは、内視鏡プロセッサと内視鏡（電子スコープ）によって構成され、電子スコープのコネクタ部（端子）を内視鏡プロセッサのコネクタ部（端子）に接続することによって使用される。内視鏡システムはノイズ（静電気）に弱く、コネクタ部の外部からノイズ（静電気）が侵入してしまうと、内部の電子部品の誤動作や故障を引き起こしやすい。コネクタ部自体にも金属による構成部分が含まれているが、患者の安全を保つために耐圧を満たす必要があり、コネクタ部自体をフレームＧＮＤに落とすことができないという課題がある。また、ライトガイドスリーブも光源の熱を伝導させるために金属で構成されているため、静電気耐圧性を保てないという課題もある。
【０００３】
この点、特許文献１は、内視鏡の非接続状態であっても内視鏡プロセッサの接続部及び電子部品（ＩＣ）の静電気破壊を防止することを課題として、内視鏡プロセッサのコネクタ部分に、グラウンドに接続された保護接地部と、保護接地部と導通され、内視鏡と内視鏡プロセッサの非接続状態で両者の接続部の接続空間に位置する静電気誘導部とを設けた内視鏡プロセッサについて開示する。
【先行技術文献】
【特許文献】
【０００４】
【特許文献１】特開２０１７−０６４０４０号公報
【発明の概要】
【発明が解決しようとする課題】
【０００５】
しかしながら、特許文献１に開示の技術は、電子スコープが内視鏡プロセッサに挿入される際に除電機能を有する金属部（内視鏡プロセッサ側に設けられている）が押し込まれて開閉するメカ的機構を採用している。従って、電子スコープを内視鏡プロセッサに繰り返し挿抜すると、このメカ的機構が経時的に劣化していく可能性があり、その結果除電機能の劣化が懸念される。また、複雑なメカ機構および電気部品を構成要素とするため、基板などが必要となり、メカ機構のサイズが大きくなり、製造コストが高くなってしまう。
【０００６】
本開示はこのような状況に鑑みてなされたものであり、複雑なメカ的機構を使用せず、かつ繰り返しの使用によっても除電機能を劣化させずに保持する技術を提供する。
【課題を解決するための手段】
【０００７】
上記課題を解決するために、本実施形態によるプロセッサは、一例として、内視鏡が接続され、内視鏡からの映像を処理するプロセッサであって、内視鏡が接続されるコネクタ部と、コネクタ部を外部に露出させるための開口部を有するフロントパネルと、コネクタ部近傍に設けられ、接地された金属製の避雷部材と、を備える。そして、当該避雷部材は、コネクタ部に挿入される内視鏡のコネクタ端子とは常に非接触となる位置に配置されている。
【０００８】
本開示に関連する更なる特徴は、本明細書の記述、添付図面から明らかになるものである。また、本開示は、要素及び多様な要素の組み合わせ及び以降の詳細な記述と添付される特許請求の範囲の様態により達成され実現される。
本明細書の記述は典型的な例示に過ぎず、特許請求の範囲又は適用例を如何なる意味に於いても限定するものではないことを理解する必要がある。
【発明の効果】
【０００９】
本開示によれば、複雑なメカ的機構を使用せず、かつ繰り返しの使用によっても除電機能を劣化させずに保持することができるようになる。
【図面の簡単な説明】
【００１０】
【図１】本実施形態による電子内視鏡システム１の構成例を示すブロック図である。
【図２】電子スコープ１００およびプロセッサ２００の内部構成例を示す図である。
【図３】本実施形態によるプロセッサ２００のフロントパネル部分の外観構成例を示す図である。
【図４】本実施形態による金属製部材２７０の構成例を示す図である。図４Ａは、金属製部材２７０の基本構成を示し、図４Ｂは、金属製部材２７０の変形例を示している。
【図５】固定部材２８０に取り付けられた金属製部材２７０の周辺部分をプロセッサ２００の側面から見た状態（プロセッサの内部の状態）を示す横面図である。図５Ａは、電子スコープ１００がプロセッサ２００に接続される前の状態を示し、図５Ｂは、電子スコープ１００がプロセッサ２００に接続された後の状態を示している。
【図６】プロセッサ２００からフロントパネル２６０を取り外したときのコネクタ部２５０部分を正面から見た図である。
【図７】変形例による避雷部材（金属製部材２７０に相当）の構成例を示す図である。
【発明を実施するための形態】
【００１１】
本実施形態は、静電気放電によるプロセッサや電子スコープの内部の電子部品の破壊や誤動作の発生を防止するため技術であって、具体的には、プロセッサのコネクタ部の近傍に接地された金属製の避雷部材（常に（電子スコープの挿入前後において）コネクタ端子と非接触な状態が保たれている）を設けることを開示する。なお、本実施形態は当該課題を解決するための一例であり、本開示の技術的思想は特許請求の範囲に表され、本開示の技術的思想を限定するものではない。
【００１２】
＜電子内視鏡システム１の外観構成例＞
図１は、本実施形態による電子内視鏡システム１の構成例を示す図である。図１に示されるように、電子内視鏡システム１は、例えば、医療用に特化されたシステムであり、電子スコープ１００と、プロセッサ２００と、モニタ３００（図１には簡略化のため省略）と、を備えている。
【００１３】
図１に示されるように、電子スコープ１００は、可撓性を有するシース（外皮）１１ａによって外装された可撓管１１を備えている。可撓管１１の先端には、硬質性を有する樹脂製筐体によって外装された先端部１２が連結されている。可撓管１１と先端部１２との連結箇所にある湾曲部１４は、可撓管１１の基端に連結された把持操作部１３からの遠隔操作（例えば、湾曲操作ノブ１３ａの回転操作）によって屈曲自在に構成されている。この屈曲機構は、一般的な電子スコープに組み込まれている周知の機構であり、湾曲操作ノブ１３ａの回転操作に連動した操作ワイヤの牽引によって湾曲部１４を屈曲させるように構成されている。先端部１２の方向が上記操作による屈曲動作に応じて変わることにより、電子スコープ１００による撮影領域が移動する。
【００１４】
また、電子スコープ１００は、その基端に、プロセッサ２００に電子スコープ１００を接続するためのコネクタ部１１０を有している。コネクタ部１１０は、プロセッサ２００側のコネクタ端子と電気的に接続される電子スコープ１００側のコネクタ端子１２１と、ライトガイドファイバを内蔵し、コネクタ部１１０から突出するライトガイドスリーブ１２２と、を有している。電子スコープ１００にはライトガイドファイバ（図示せず）が内蔵されている。ライトガイドファイバは、先端部１２、湾曲部１４、可撓管１１、把持操作部１３、およびユニバーサルチューブを通って、コネクタ部１１０から突出するライトガイドスリーブ１２２内まで延設されている。コネクタ部１１０のコネクタ端子１２１がプロセッサ２００のコネクタ部２５０のコネクタ端子２５１（図３参照）に接続されると、ライトガイドファイバは、プロセッサ２００に内蔵されたランプ（光源）２０８と光学的に接続される。そして、このランプ２０８から発せられた照明光は、ライトガイドファイバ内を導かれ、先端部１２の前端面に設けられた配光レンズ１０４によって所定の配光で外方に出射される。
【００１５】
プロセッサ２００は、電子スコープ１００からの信号を処理する信号処理装置と、電子スコープ１００を介して自然光が届かない体腔内で光を照射する光源装置とを一体に備えた装置である。なお、別の実施形態として、信号処理装置と光源装置を別体で構成してもよい。
【００１６】
プロセッサ２００は、電子スコープ１００の基端に設けられたコネクタ部１１０に対応するコネクタ部２５０を備えている。コネクタ部２５０は、コネクタ部１１０に対応する連結構造を有し、電子スコープ１００とプロセッサ２００とを電気的にかつ光学的に接続するように構成されている。
【００１７】
また、詳細については後述するが、プロセッサ２００は、コネクタ部２５０の近傍に所定の形状をなす金属製部材（金属製部材２７０：避雷部材と呼ぶことも可能：図４、５参照）を備えている。ただし、この金属製部材２７０は、フロントパネル（カバー）によって外部からは確認できない（外部に露出されていない）ようになっている。つまり、この金属部材（避雷部材）２７０は、フロントパネルの後方に配置されている。また、金属製部材２７０は、当該フロントパネルのコネクタ部を露出させるための開口部と、当該フロントパネルとの間に形成される微小な隙間の周辺に配置するのが好ましい。そして、金属製部材２７０は、フレームＧＮＤに接続されている（他の金属には触れないように接地されている）。さらに、金属製部材２７０は、挿入される電子スコープ１００のコネクタ端子１２１およびライトガイドスリーブ１２２と常に（挿入時および挿入後）非接触となるように配置されている。このように、フロントパネルのコネクタ部を露出させるための開口部と、当該フロントパネルとの間に微小な隙間が形成されてしまったとしても、フレームＧＮＤに接続された金属製部材をこの微小な隙間近傍（隙間を取り囲むように）配置することにより、オペレータの身体に帯電した静電気がオペレータの指から金属製部材２７０に放電されるため、電子スコープ１００やプロセッサ２００に含まれる電子部品を保護することができるようになる。
【００１８】
＜電子内視鏡システム１の内部構成例＞
図２は、主に、電子スコープ１００およびプロセッサ２００の内部構成例を示す図である。
【００１９】
電子スコープ（内視鏡装置）１００は、ドライバ信号処理回路１１２と、メモリ１１４と、を備えている。ドライバ信号処理回路１１２には、照射光Ｌにより照射された生体組織を撮像した各画素の画素データが固体撮像素子１０８よりフレーム周期で入力される。ドライバ信号処理回路１１２は、固体撮像素子１０８より入力される画素データに対して欠陥画素補正、デモザイク、固体撮像素子１０８固有の補正処理等の処理を施して画素データをプロセッサ２００の信号処理回路２２０に出力する。
【００２０】
ドライバ信号処理回路１１２は、メモリ１１４にアクセスして電子スコープ１００の固有情報を読み出す。メモリ１１４に記録される電子スコープ１００の固有情報には、例えば、固体撮像素子１０８の画素数や感度、動作可能なフレームレート、型番等が含まれる。ドライバ信号処理回路１１２は、メモリ１１４より読み出された固有情報をシステムコントローラ２０２に出力する。
【００２１】
プロセッサ２００側の絞り２１２を通過した照射光Ｌは、ＬＣＢ（Light Carrying Bundle）１０２の入射端面に集光されてＬＣＢ１０２内に入射される。入射端面よりＬＣＢ１０２内に入射された照射光Ｌは、ＬＣＢ１０２内を伝播する。
【００２２】
ＬＣＢ１０２内を伝播した照射光Ｌは、電子スコープ１００の先端に配置されたＬＣＢ１０２の射出端面より射出され、配光レンズ１０４を介して体腔内の生体組織を照射する。照射光Ｌにより照射された生体組織からの戻り光は、対物レンズ１０６を介して固体撮像素子１０８の受光面上で光学像を結ぶ。
【００２３】
固体撮像素子１０８は、ベイヤ型画素配置を有する単板式カラーＣＣＤ（Charge Coupled Device）イメージセンサである。固体撮像素子１０８は、受光面上の各画素で結像した光学像を光量に応じた電荷として蓄積して、Ｒ（Red）、Ｇ（Green）、Ｂ（Blue）の画素データ（撮影画像データ）を生成して出力する。なお、固体撮像素子１０８は、ＣＣＤイメージセンサに限らず、ＣＭＯＳ（Complementary Metal Oxide Semiconductor）イメージセンサやその他の種類の撮像装置に置き換えられてもよい。固体撮像素子１０８はまた、補色系フィルタを搭載したものであってもよい。
【００２４】
図２に示されるように、電子内視鏡システム１は、電子スコープ１００に接続されるプロセッサ２００と、所定のケーブルを介してプロセッサ２００に接続されたモニタ３００と、を備えている。
【００２５】
プロセッサ２００は、システムコントローラ２０２及びタイミングコントローラ２０４を備えている。システムコントローラ２０２は、メモリ２３０に記憶された各種プログラムを実行し、電子内視鏡システム１全体を統合的に制御する電子内視鏡システム１の各構成要素を制御する。また、システムコントローラ２０２は、操作パネル２１８に接続されている。システムコントローラ２０２は、操作パネル２１８より入力される術者あるいは操作者（オペレータ）からの指示に応じて、電子内視鏡システム１の各動作の実行及び各動作のためのパラメータの変更を行う。術者による入力指示には、例えば電子内視鏡システム１の動作モードの切替指示がある。本実施形態では、動作モードとして、低周波強調モード、中間周波数強調モード、高周波強調モード等がある。タイミングコントローラ２０４は、各部の動作のタイミングを調整するクロックパルスを電子内視鏡システム１内の各回路に出力する。
【００２６】
ランプ２０８は、ランプ電源イグナイタ２０６による始動後、主に可視光領域から不可視である赤外光領域に広がるスペクトルを持つ光（あるいは少なくとも可視光領域を含む光）を放射する。ランプ２０８としては、例えば、キセノンランプ、ハロゲンランプ、水銀ランプ、メタルハライドランプ等の高輝度ランプ又はＬＥＤ（Light Emitting Diode）を用いることができる。ランプ２０８より放射された照射光（白色光）Ｌは、集光レンズ２１０によって集光されつつ絞り２１２を介して適正な光量に制限される。
【００２７】
絞り２１２には、図示省略されたアームやギヤ等の伝達機構を介してモータ２１４が機械的に連結している。モータ２１４は例えばＤＣモータであり、ドライバ２１６のドライブ制御下で駆動する。絞り２１２は、モニタ３００の表示画面に表示される映像を適正な明るさにするため、モータ２１４により動作され開度が変えられる。ランプ２０８より照射された白色光Ｌの光量は、絞り２１２の開度に応じて制限される。適正とされる映像の明るさの基準は、術者による操作パネル２１８の輝度調節操作に応じて設定変更される。なお、ドライバ２１６を制御して輝度調整を行う調光回路は周知の回路であり、本明細書においては省略することとする。
【００２８】
操作パネル２１８の構成には様々な形態が想定されうる。操作パネル２１８は、例えば、プロセッサ２００のフロント面に実装された機能毎のハードウェアキー、タッチパネル式ＧＵＩ（Graphical User Interface）や、ハードウェアキーとＧＵＩとの組み合わせ等によって構成することができる。
【００２９】
システムコントローラ２０２は、電子スコープ１００の固有情報に基づいて各種演算を行い、制御信号を生成する。システムコントローラ２０２は、生成された制御信号を用いて、プロセッサ２００に接続されている電子スコープに適した処理がなされるようにプロセッサ２００内の各種回路の動作やタイミングを制御する。
【００３０】
プロセッサ２００のタイミングコントローラ２０４は、システムコントローラ２０２によるタイミング制御に従って、ドライバ信号処理回路１１２にクロックパルスを供給する。ドライバ信号処理回路１１２は、タイミングコントローラ２０４から供給されるクロックパルスに従って、固体撮像素子１０８をプロセッサ２００側で処理される映像のフレームレートに同期したタイミングで駆動制御する。
【００３１】
プロセッサ２００に備えられる信号処理回路２２０は、マトリックス回路２２２、ＹＵＶ変換回路２２４、輪郭強調回路２２６及び出力回路２２８を有している。
【００３２】
マトリックス回路２２２は、ドライバ信号処理回路１１２よりフレーム周期で入力されるＲＧＢ形式の画素データにマトリックス処理を施して、ＹＵＶ変換回路２２４に出力する。ＹＵＶ変換回路２２４は、マトリックス回路２２２より入力されるマトリックス処理後の画素データ（ＲＧＢ形式）をＹＵＶ形式に変換し、変換処理によって得られた輝度信号（Ｙ）、色差信号（Ｕ，Ｖ）を、それぞれ、輪郭強調回路２２６、出力回路２２８に出力する。輪郭強調回路２２６は、ラプラシアンフィルタ、ローパスフィルタ、ゲイン回路、クリップ回路、および強調量計算回路などで構成され、画像における所定の周波数成分を強調する処理を行う。出力回路２２８は、輪郭強調回路２２６より入力される輝度信号（Ｙ）及びＹＵＶ変換回路２２４より入力される色差信号（Ｕ，Ｖ）を所定のビデオフォーマット信号に変換する。出力回路２２８が順次入力される各画素のデータを所定のビデオフォーマット信号に変換してモニタ３００に出力することにより、生体組織の特定の周波数成分を強調した強調画像を通常のカラー画像に重ね合わせたものがモニタ３００の表示画面に表示される。
【００３３】
＜プロセッサのフロントパネルの外観構成＞
図３は、本実施形態によるプロセッサ２００のフロントパネル部分の外観構成例を示す図である。
【００３４】
図３に示されるように、プロセッサ２００のフロントパネル部分には、コネクタ部２５０および操作パネル２１８が設けられている。
【００３５】
コネクタ部２５０は、外部に露出しており、電子スコープ１００のコネクタ部１１０と電気的な接続を実現する。操作パネル２１８は、オペレータが電子内視鏡システム１の各動作の実行および各動作のパラメータの変更を行うための指示を入力するためのユーザインターフェースである。
【００３６】
また、図３に示されるように、プロセッサ２００のフロントパネル２６０には、プロセッサ２００のコネクタ部２５０を外部に露出させるための開口部が設けられている。この開口部は、コネクタ部２５０を構成する部材（部品やプラスティック部材など）によってほぼ塞がれているが、非常に微小な隙間（本実施形態では、８の字形状の隙間が形成される）が機械構造上形成されてしまう。この微小な隙間に、オペレータに帯電した静電気が入り込み、プロセッサ２００や電子スコープ１００の内部の電子部品を破壊してしまう可能性がある。そのため、本実施形態では、フロントパネル２６０をプロセッサ筐体に固定するための固定部材（例えば、金属製）２８０に、上記微小な隙間を囲む（隙間の形状に沿う）ように、静電気保護用の金属製部材２７０が設置されている。
【００３７】
＜金属製部材の構成＞
図４は、本実施形態による金属製部材２７０の構成例を示す図である。図４Ａは、金属製部材２７０の基本構成を示し、図４Ｂは、金属製部材２７０の変形例を示している。
【００３８】
図４Ａにおいて、金属製部材２７０は、例えば鉄や銅などの導電性材料の、枠体（基体）２７１および複数の針状部２７２によって構成される。この針状部２７２の設置個数は任意である。また、針状部２７２の先端は、その幅が基端（根元）の幅よりも狭くなっており、鋭利に尖っている（避雷針構造となっている）ことが好ましい。金属製部材２７０をプロセッサ２００（上記微小な隙間の形状に沿うように）取り付ける場合には、フレームＧＮＤに接続される。図４では、枠体（基体）２７１は８の字形状をなしているが、これはコネクタ部２５０を露出させるためのフロントパネル２６０の開口部の形状（即ち、上記隙間の形状）に合わせたためである。従って、隙間の形状が８の字形状でなければ枠体（基体）２７１の形状も別の形状となる。
【００３９】
図４Ｂの変形例による金属製部材２７０は、筒状枠体（筒状部材）２７３のみによって構成され、図４Ａの基本構成とは異なり、針状部２７２を有していない。筒状枠体（筒状部材）２７３は、細長く所定の幅を持つ平板を８の字の環形状（筒形状）に構成することにより形成される。当該変形例では、筒状枠体（筒状部材）２７３の端部２７４が針状部２７２の代わりに避雷機能を担うことになる。放電効率を考えると針状にした方がよいが、針状部２７２では上記隙間部分の全てを網羅することができない。隙間部分の全てを網羅したい場合には、変形例による筒状枠体（筒状部材）２７３を金属製部材２７０として用いることができる。
【００４０】
なお、図４ＡおよびＢでは、枠体（基体）２７１および筒状枠体（筒状部材）２７３を閉じた形状の部材として構成しているが、枠体の任意の箇所を開口端としてもよい。また、図４Ａによる金属製部材（避雷部材）２７０は、針形状をなす針状部２７２を備えているが、必ずしも先端が尖っている針形状でなくてもよい。針状部２７２を、避雷部材の先端が基端（避雷部材の根元）よりも細く構成された、枠体（基体）２７１によって形成される平面（ＸＹ方向）と垂直な軸の成分（ベクトル方向としてＺ方向の成分）を持つ方向（好ましくは、当該平面の垂線方向）に枠体（基体）２７１から突出する突出部として構成してもよい。
【００４１】
また、筒状部材の側面の長さは各端部で同一でなくてもよい。つまり、端部２７４は、ある箇所では波を打った形状、別の箇所では尖った形状、さらに別の箇所では直線的な形状（側面の長さが同一（面一））を有していてもよい。
【００４２】
＜金属製部材の取り付け形態＞
図５は、固定部材２８０に取り付けられた金属製部材２７０の周辺部分をプロセッサ２００の側面から見た状態（プロセッサの内部の状態）を示す横面図である。図５Ａは、電子スコープ１００がプロセッサ２００に接続される前の状態を示し、図５Ｂは、電子スコープ１００がプロセッサ２００に接続された後の状態を示している。
【００４３】
上述のように、金属製部材２７０は、複数の針状部２７２がフロントパネル２６０の開口部付近に形成される微小な隙間に沿うように、固定部材２８０に取り付けられる。金属製部材２７０を取り付ける場合、その枠体（基体）２７１は、フレームＧＮＤに接続される（接地される）。例えば、身体に帯電しているオペレータがコネクタ部２５０付近に手を伸ばした場合、上記微小な隙間にオペレータの指が金属製部材２７０の針状部２７２に近づくため、当該指から放たれた静電気は、何れかの針状部２７２の先端に避雷し、金属製部材２７０本体部を介してフレームＧＮＤに流れる。このため、プロセッサ２００や電子スコープ１００において静電気に対して脆弱な電子部品などの箇所を静電気から保護することができるようになる。なお、オペレータからの静電気の放電は、電子スコープ１００をプロセッサ２００に接続していない状態で、プロセッサ２００のコネクタ部２５０付近に手を伸ばした場合や、オペレータが電子スコープ１００のコネクタ部１１０を手で持ち、コネクタ部１１０をコネクタ部２５０に接続した場合（図５Ａの状態から図５Ｂの状態にするとき）に起こると考えられる。
【００４４】
図６は、プロセッサ２００からフロントパネル２６０を取り外したときのコネクタ部２５０部分を正面から見た図である。図６に示されるように、複数の針状部２７２の先端が、コネクタ端子２５１とライトガイドスリーブ１２２の挿入部（ライトガイドスリーブ挿入部）２５２とを囲むように、かつ、開口部付近に形成される微小な隙間に沿うように、配置される。図６では、針状部２７２の配置密度は均一となっているが、コネクタ端子２５１側を密に配置し、ライトガイドスリーブ１２２の挿入部（ライトガイドスリーブ挿入部）２５２側をそれより粗に配置してもよい。
なお、図５や図６からも分かるように、金属製部材（避雷部材）２７０は、プロセッサ２００のコネクタ部２５０だけでなく、挿入される電子スコープ１００のコネクタ端子１２１およびライトガイドスリーブ１２２と常に（挿入時および挿入後）非接触となるように配置されている。
【００４５】
＜金属製部材の変形例＞
図７は、変形例による避雷部材（金属製部材２７０に相当）の構成例を示す図である。変形例においては、複数の針状部２７２が、固定部材２８０の開口部（コネクタ部２５０を露出させるための開口部）に沿って直接設けられている。このような避雷部材は、固定部材２８０と針状部２７２とを一体で成形してもよいし、固定部材２８０と複数の針状部２７２とを別々の工程で製造し、その後、複数の針状部２７２を固定部材２８０に溶接や導電性接着剤で固定するようにしてもよい。
【００４６】
＜本開示のまとめ＞
本実施形態によれば、オペレータの指から放出された静電気によってプロセッサ２００および電子スコープ１００に内蔵された電子回路を誤動作させたり、故障させたりするという事態を回避することができるようになる。
【００４７】
（i）特定事項１
内視鏡（１００）が接続され、内視鏡からの映像を処理するプロセッサ（２００）であって、
前記内視鏡が接続されるコネクタ部（２５０）と、
前記コネクタ部を外部に露出させるための開口部を有するフロントパネル（２６０）と、
前記コネクタ部近傍に設けられ、接地された金属製の避雷部材（２７０：図４ＡおよびＢ）と、を備え、
前記避雷部材（２７０）は、前記コネクタ部（２５０）に挿入される前記内視鏡（１００）のコネクタ端子（１２１）とは常に非接触となる位置に配置されている、プロセッサ。
【００４８】
（ii）特定事項２
特定事項１において、
前記避雷部材は、前記フロントパネルの後方に配置され、前記内視鏡のコネクタ端子が挿通可能な開口を有する基体（２７１）と、当該基体から前記フロントパネルの方向に突出し、先端が基端よりも細い突出部（２７２）と、を含むプロセッサ。
【００４９】
（iii）特定事項３
特定事項２において、
前記基体の開口の形状は、前記フロントパネルの開口部とほぼ同一形状をなす、プロセッサ。
【００５０】
（iv）特定事項４
特定事項２または３において、
前記突出部は、複数の針状部（２７２）によって構成される、プロセッサ。
【００５１】
（v）特定事項５
特定事項４において、
前記複数の針状部の先端は、前記プロセッサを正面から見た場合に、前記フロントパネルの開口部の形状に沿って配置されている（図６）、プロセッサ。
【００５２】
（vi）特定事項６
特定事項４または５において、
前記コネクタ部は、内視鏡側コネクタ端子（１２１）が挿入されるプロセッサ側コネクタ端子（２５１）と、内視鏡のライトガイドスリーブ（１２２）が挿入されるライドガイドスリーブ挿入部（２５２）とを有し、
前記複数の針状部（２７２）は、それらの先端が前記ライトガイドスリーブ挿入部の周辺より前記プロセッサ側コネクタ端子の周辺に密に配置されるように、前記基体から突出する、プロセッサ。
【００５３】
（vii）特定事項７
特定事項１において、
前記避雷部材は、前記フロントパネルの後方に配置され、前記内視鏡のコネクタ端子が挿通可能な開口を有し、側面が前記フロントパネルの方向に延出する筒状部材（２７０：図４Ｂ）で構成される、プロセッサ。
【００５４】
（viii）特定事項８
特定事項７において、
前記筒状部材の開口の形状は、前記フロントパネルの開口部とほぼ同一形状をなす、プロセッサ。
【００５５】
（ix）特定事項９
特定事項１において、
前記避雷部材は、前記フロントパネルを前記プロセッサの筐体に固定するための固定部材（２８０）に設けられている、プロセッサ。
【００５６】
（x）特定事項１０
特定事項１から９のいずれかに記載のプロセッサと、
前記プロセッサと接続され、撮像素子で撮像した映像信号を前記プロセッサに送信する内視鏡と、
を備える内視鏡システム。
【符号の説明】
【００５７】
１  電子内視鏡システム
１００  電子スコープ（内視鏡装置）
２００  プロセッサ
２５０  コネクタ部
２５１  コネクタ端子
２５２  ライトガイドスリーブ挿入部
２７０  金属製部材
２７１  枠体（基体）
２７２  針状部
２７３  筒状枠体（筒状部材）
２８０  固定部材
【図１】
2019208709.tif 000003
【図２】
2019208709.tif 000004
【図３】
2019208709.tif 000005
【図４】
2019208709.tif 000006
【図５】
2019208709.tif 000007
【図６】
2019208709.tif 000008
【図７】
2019208709.tif 000009